(57)【要約】【課題】プレストーク無線通信システムでＩＰ網を利用し、送信モードであることを示すＳＳ信号をこのＩＰ網上を透過させる。【解決手段】ＶｏＩＰゲートウェイ２０のパケット化部３５は、プレストーク通信卓１０からの音声信号及びＳＳ信号をパケット化して、ＩＰ網１に送る。この際、パケット化部３５は、ＲＴＰパケットのヘッダ部に制御信号であるＳＳ信号を設定し、ペイロード部に音声信号を設定する。【選択図】  図２
2004222082.tif 000002
【特許請求の範囲】
【請求項１】
通信端末から自身が送信モードであることを示す制御信号及び音声信号を、無線通信基地局を介して、相手側の無線通信端末に送信するプレストーク無線通信システムにおいて、
前記通信端末からの制御信号及び音声信号をパケット化して、パケットデータを生成するパケット化手段を有するパケット化装置と、
前記パケット化装置とＩＰ網を介して接続され、該パケット化装置から送られてきた前記パケットデータを分解するパケット分解手段を有し、該パケット分解手段による分解で得られた前記制御信号及び前記音声信号を前記無線通信基地局に送るパケット分解装置と、
を備え、
前記パケット化手段は、前記パケットデータのヘッダ部に前記制御信号が表すデータを格納し、該パケットデータのペイロード部に前記音声信号が表すデータを格納する、
ことを特徴とするプレストーク無線通信システム。
【請求項２】
請求項１に記載のプレストーク無線通信システムにおいて、
前記パケット分解装置は、前記無線通信基地局が前記無線通信端末から受信した制御信号及び音声信号をパケット化して、パケットデータを生成するパケット化手段を有し、該パケットデータを前記ＩＰ網を介して前記パケット化装置に送り、該パケット化手段は、該制御信号及び該音声信号のパケット化するにあたり、該パケットデータのヘッダ部に該制御信号が表すデータを格納し、該パケットデータのペイロード部に該音声信号が表すデータを格納し、
前記パケット化装置は、前記パケット分解装置から送られてきた前記パケットデータを分解するパケット分解手段を有し、該パケット分解手段による分解で得られた前記制御信号及び前記音声信号を前記通信端末に送る、
ことを特徴とするプレストーク無線通信システム。
【請求項３】
通信端末又は通信中継装置からの制御信号及び音声信号をパケットデータとして、ＩＰ網に送るパケット化装置において、
前記制御信号及び前記音声信号を受信する端末側受信手段と、
前記端末側受信手段が受信した前記制御信号及び音声信号をパケット化してパケットデータを生成し、該パケットデータの生成過程で、該パケットデータのヘッダ部に前記制御信号が表すデータを格納し、該パケットデータのペイロード部に前記音声信号が表すデータを格納するパケット化手段と、
前記パケット化手段からの前記パケットデータをＩＰ網へ送る網側送信手段と、
を備えていることを特徴とするパケット化装置。
【請求項４】
請求項３記載のパケット化装置において、
前記ＩＰ網からのパケットデータを受信する網側受信手段と、
前記網側受信手段が受信した前記パケットデータを分解するパケット分解手段と、
前記パケット分解手段による前記パケットデータの分解で得られた制御信号及び音声信号を前記通信端末又は通信中継装置に送る端末側送信手段と、
を備えていることを特徴とするパケット化装置。
【請求項５】
通信端末から自身が送信モードであることを示す制御信号及び音声信号を、無線通信基地局を介して、相手側の無線通信端末に送信するプレストーク無線通信方法において、
前記通信端末からの制御信号及び音声信号をパケット化してパケットデータを生成し、該パケットデータをＩＰ網へ送るパケット化工程と、
前記ＩＰ網を介して送られてきた前記パケットデータを分解し、該分解で得られた前記制御信号及び前記音声信号を前記無線通信基地局に送るパケット分解工程と、
を有し、
前記パケット化工程では、前記パケットデータのヘッダ部に前記制御信号が表すデータを格納し、該パケットデータのペイロード部に前記音声信号が表すデータを格納する、
ことを特徴とするプレストーク無線通信方法。
【請求項６】
無線通信基地局は、送信元の無線通信端末から、該無線通信端末が送信モードであることを示す制御信号及び音声信号を無線受信し、該制御信号及び該音声信号を相手側の通信端末に送信するプレストーク無線通信方法において、
前記無線通信基地局からの前記制御信号及び前記音声信号をパケット化してパケットデータを生成し、該パケットデータをＩＰ網へ送るパケット化工程と、
前記ＩＰ網を介して送られてきた前記パケットデータを分解し、該分解で得られた前記制御信号及び前記音声信号を前記相手側の通信端末に送るパケット分解工程と、
を有し、
前記パケット化工程では、前記パケットデータのヘッダ部に前記制御信号が表すデータを格納し、該パケットデータのペイロード部に前記音声信号が表すデータを格納する、
ことを特徴とするプレストーク無線通信方法。
【請求項７】
通信端末又は通信中継装置からの制御信号及び音声信号をパケットデータとして、ＩＰ網を透過させる信号透過方法において、
前記制御信号及び音声信号をパケット化してパケットデータを生成するパケット化工程と、
前記パケット化工程で生成された前記パケットデータを前記ＩＰ網へ送る送信工程と、
を有し、
前記パケット化工程では、前記パケットデータのヘッダ部に前記制御信号が表すデータを格納し、該パケットデータのペイロード部に前記音声信号が表すデータを格納する、
ことを特徴とする信号透過方法。
【発明の詳細な説明】
【０００１】
【発明の属する技術分野】
本発明は、押しボタンが押されている状態で音声が発せられると、この音声を相手側に伝えるプレストーク無線通信システム、その無線通信方法、音声信号及び制御信号をパケット化するパケット化装置、音声信号及び制御信号をパケット化してＩＰ網を透過させる信号透過方法に関する。
【０００２】
【従来の技術】
従来、プレストーク無線通信システムとしては、図８に示すようなものがある。
【０００３】
このプレストーク無線通信システムは、中央通信設備と、この中央通信設備との間で通信を行う複数の地域通信設備Ａ，Ｂ，Ｃとを備えている。
【０００４】
中央通信設備は、プレストーク通信卓１０と、この通信卓１０に４線式ＳＳ／ＳＲ・ＯＤインタフェース２で接続されている複数の帯域内中継装置（インバンドリンガ：登録商標）３，３，３とを備えている。プレストーク通信卓１０は、スピーカ１１と、マイク１２と、押しボタン１３と、これらのインタフェース１４と、回線設定ダイヤル１５と、回線設定ダイヤル１５の操作に応じて複数の帯域内中継装置３，３，３のうちの何れかとの回線を接続するスイッチ１６と、を有している。帯域内中継装置３は、複数の地域通信設備Ａ，Ｂ，Ｃの数量分設けられている。
【０００５】
各地域通信設備Ａ，Ｂ，Ｃは、中央通信設備の帯域内中継装置３と専用アナログ回線４で接続されている帯域内中継装置５と、この帯域内中継装置５に４線式ＳＳ／ＳＲ・ＯＤインタフェース６で接続されている無線通信基地局４２と、この無線通信基地局４２との間で無線通信を行う移動無線通信端末５０と、を備えている。
【０００６】
このプレストーク通信システムでは、プレストーク通信卓１０の押しボタン１３を押しながら声を発すると（プレス・トーク）、ＳＳ信号がオンになり、これが相手側の無線通信端末５０に伝わり、無線通信端末側では受信モードとなる。同様に、無線通信端末５０の押しボタン５３を押しながら声を発すると、ＳＳ信号がオンになって、通信卓側では受信モードとなる。
【０００７】
ところで、以上のプレストーク通信システムでは、中央通信設備側の帯域内中継装置３と地域通信設備側の帯域内中継装置５とは、アナログ専用回線４で接続されているため、地域通信設備の数が多くなると、又は、中央通信設備と地域通信設備との距離が離れると、設備コストが増大してしまう。
【０００８】
そこで、中央通信設備側の帯域内中継装置３と地域通信設備側の帯域内中継装置５とをＩＰ網で接続する方法が考えられる。
【０００９】
このＩＰ網を用いて通話を行うシステムとしては、ＶｏＩＰ（Ｖｏｉｃｅ  Ｏｖｅｒ  ＩＰ）を利用したＩＰ電話システムがある。このＶｏＩＰの呼制御は、ＩＴＵＴのＨ．３２３に規定されている。このＩＴＵＴのＨ．３２３に規定されているＶｏＩＰの呼制御を利用したシステムとしては、例えば、以下の特許文献１に記載されているものがある。このシステムでは、音声用ＩＰパケットと呼制御用ＩＰパケットとをそれぞれ別パスで送受信している。
【００１０】
【特許文献１】
特開２００２−２６１８２１号
【００１１】
【発明が解決しようとする課題】
しかしながら、従来のプレストーク無線通信システムでのアナログ専用回線の替わりにＩＰ網を利用しようとしても、ＩＴＵＴのＨ．３２３には、一方の端末が他方の端末に対して、自身が送信モードであること知らせる信号、言い換えると、ＳＳ信号をＩＰ網上に透過させることが規定されていない。
【００１２】
また、仮に、特許文献１のように、ＳＳ信号を呼制御用ＩＰパケットとして送受信できるようにしても、音声用ＩＰパケットとＳＳ信号としての呼制御ＩＰパケットとを別々に送信すると、送信側で送信モードにしたと同時に音声を送信した場合、受信側での音声用ＩＰパケットと呼制御用ＩＰパケットとの受信タイミングが大きくズレると、受信側で音声を聞き取ることができないことがある上に、音声用ＩＰパケットと呼制御用ＩＰパケットとを送信することになるので、比較的広い周波数帯域を使用してしまうという問題点がある。
【００１３】
そこで、本発明は、設備コストを抑えるためにＩＰ網を利用し、しかも、周波数帯域を有効利用することができるプレストーク通信システムを提供することを目的とする。
【００１４】
【課題を解決するための手段】
前記目的を達成するため、通信端末から自身が送信モードであることを示す制御信号及び音声信号を、無線通信基地局を介して、相手側の無線通信端末に送信するプレストーク無線通信システムは、
前記通信端末からの制御信号及び音声信号をパケット化して、パケットデータを生成するパケット化手段を有するパケット化装置と、前記パケット化装置とＩＰ網を介して接続され、該パケット化装置から送られてきた前記パケットデータを分解するパケット分解手段を有し、該パケット分解手段による分解で得られた前記制御信号及び前記音声信号を前記無線通信基地局に送るパケット分解装置と、を備え、
前記パケット化手段は、前記パケットデータのヘッダ部に前記制御信号が表すデータを格納し、該パケットデータのペイロード部に前記音声信号が表すデータを格納する、ことを特徴とするものである。
【００１５】
ここで、前記パケット化手段は、予め定められている一の通信相手先のＩＰアドレスを前記パケットデータ中に含めてもよい。
【００１６】
また、前記目的を達成するため、通信端末又は通信中継装置からの制御信号及び音声信号をパケットデータとして、ＩＰ網に送るパケット化装置は、
前記制御信号及び前記音声信号を受信する端末側受信手段と、
前記端末側受信手段が受信した前記制御信号及び音声信号をパケット化してパケットデータを生成し、該パケットデータの生成過程で、該パケットデータのヘッダ部に前記制御信号が表すデータを格納し、該パケットデータのペイロード部に前記音声信号が表すデータを格納するパケット化手段と、
前記パケット化手段からの前記パケットデータをＩＰ網へ送る網側送信手段と、
を備えていることを特徴とするものである。
【００１７】
ここで、前記パケット化手段は、予め定められている一の通信相手先のＩＰアドレスを前記パケットデータに含めてもよい。また、この場合、通話可能状態の指示を受け付けると、又は電源がオンになると、前記ＩＰアドレスで特定される前記一の通話相手とのパスを生成する手段を有していることが好ましい。
【００１８】
また、前記目的を達成するため、通信端末から自身が送信モードであることを示す制御信号及び音声信号を、無線通信基地局を介して、相手側の無線通信端末に送信するプレストーク無線通信方法は、
前記通信端末からの制御信号及び音声信号をパケット化してパケットデータを生成し、該パケットデータをＩＰ網へ送るパケット化工程と、前記ＩＰ網を介して送られてきた前記パケットデータを分解し、該分解で得られた前記制御信号及び前記音声信号を前記無線通信基地局に送るパケット分解工程と、を有し、
前記パケット化工程では、前記パケットデータのヘッダ部に前記制御信号が表すデータを格納し、該パケットデータのペイロード部に前記音声信号が表すデータを格納する、ことを特徴とするものである。
【００１９】
また、前記目的を達成するため、通信端末又は通信中継装置からの制御信号及び音声信号をパケットデータとして、ＩＰ網を透過させる信号透過方法は、
前記制御信号及び音声信号をパケット化してパケットデータを生成するパケット化工程と、
前記パケット化工程で生成された前記パケットデータを前記ＩＰ網へ送る送信工程と、
を有し、
前記パケット化工程では、前記パケットデータのヘッダ部に前記制御信号が表すデータを格納し、該パケットデータのペイロード部に前記音声信号が表すデータを格納する、ことを特徴とするものである。
【００２０】
【発明の実施の形態】
以下、本発明に係るプレストーク無線通信システムの一実施形態について、図面を用いて説明する。
【００２１】
本実施形態のプレストーク無線通信システムは、図１に示すように、中央通信設備と、この中央通信設備との間で通信を行う複数の地域通信設備Ａ，Ｂ，Ｃとを備えている。
【００２２】
中央通信設備は、プレストーク通信卓１０と、この通信卓１０に４線式ＳＳ／ＳＲ信号線２５で接続されている複数のＶｏＩＰゲートェイ２０，２０，２０とを備えている。プレストーク通信卓１０は、従来技術の欄で説明したように、スピーカ１１と、マイク１２と、押しボタン１３と、これらのインタフェース回路１４と、回線設定ダイヤル１５と、回線設定ダイヤル１５の操作に応じて複数のＶｏＩＰゲートェイ２０，２０，２０のうちの何れかとの回線を接続するスイッチ１６と、を有している。ＶｏＩＰゲートェイ２０，２０，２０は、複数の地域通信設備Ａ，Ｂ，Ｃの数量分設けられている。
【００２３】
各地域通信設備Ａ，Ｂ，Ｃは、それぞれ、中央通信設備のＶｏＩＰゲートェイ２０とＩＰ網１を介して接続されているＶｏＩＰゲートェイ４１と、このＶｏＩＰゲートェイ４１に４線式ＳＳ／ＳＲ信号線４５で接続されている無線通信基地局４２と、この無線通信基地局４２との間で無線通信を行う移動無線通信端末５０と、を備えている。移動無線通信端末５０は、スピーカ５１と、マイク５２と、押しボタン５３と、無線信号の送受信端となるアンテナ５５と、これらのインタフェース回路５４と、を有している。
【００２４】
４線式ＳＳ／ＳＲ信号線２５，４５は、いずれも、図２に示すように、制御信号を送るためのＳＳ信号線２６、制御信号を受け取るためのＳＲ信号線２７、音声信号を送るための通話線２８、音声信号を受け取るための通話線２９で構成されている。
【００２５】
本実施形態では、プレストーク通信卓１０の押しボタン１３又は移動無線通信端末５０の押しボタン５３が押されると、ボタン１３，５３が押された通信端末（プレストーク通信卓１０又は移動無線通信端末５０）のインタフェース回路１４，５４が送信モードとなり、通信相手に自身が送信モードになったことを知らせる。送信側のインタフェース回路１４，５４は、送信モードになると、ＳＳ信号線２６をオンにする。また、受信側のインタフェース回路５４，１４は、ＳＲ信号線２７がオンになると、通信相手が送信モードになったことを認識し、自身が受信モードになる。
【００２６】
中央通信設備のＶｏＩＰゲートェイ２０は、図２に示すように、４線式ＳＳ／ＳＲ信号線２５のインタフェースであるＯＤインタフェース２１と、ＩＰ網１と接続されるＩＰインタフェース２２と、音声処理部３０と、これらを制御する主制御部２３と、を備えている。この主制御部２３は、保守端末２４と接続されている。
【００２７】
音声処理部３０は、ＯＤインタフェース２１から送られてきたＳＳ信号及び音声信号から特定の信号を抽出する信号抽出部３１と、ＳＳ信号及び音声信号をパケット化してイーサネット（米国：ゼロックス社の登録商標）フレームを生成するパケット化部３５と、このパケット化部３５でのパケット化タイミングに至るまでの間のＳＳ信号及び音声信号を蓄えておくパケット化タイミング待ちバッファ３２と、ＩＰインタフェース２２から送られてきたイーサネットフレームを分解するパケット分解部３６と、分解されたデータを一時的に蓄えてＩＰ網１での揺らぎを吸収するジック吸収バッファ３７と、ジック吸収バッファ３７に蓄えられているデータを音声信号及びＳＲ信号に再生する信号再生部３８と、を有している。パケットタイミング待ちバッファ３２には、ＳＳ信号を一時的に蓄えておくＳＳ信号格納領域３３と、音声信号を一時的に蓄えておく音声信号格納領域３４とがある。
【００２８】
なお、複数の地域通信設備Ａ，Ｂ，Ｃに設けられているＶｏＩＰゲートェイ４１，４１，４１も、基本的には、中央通信設備のＶｏＩＰゲートェイ２０と同じ構成で、ＯＤインタフェース２１、ＩＰインタフェース２２、主制御部２３、音声処理部３０を有している。
【００２９】
これらのＶｏＩＰゲートェイ２０，４１は、呼制御を行わないオープンボイス接続式のものであるため、呼制御部を有していない。このため、この実施形態では、通常、制御信号として扱われるＳＳ／ＳＲ信号を音声処理部で扱っている。
【００３０】
次に、中央通信設備のＶｏＩＰゲートェイ２０の起動時における動作について、図３に示すシーケンス図に従って説明する。
【００３１】
ＶｏＩＰゲートェイ２０の電源がオンになると、主制御部２３は、各インタフェース２１，２２及び音声処理部３０へ構成情報設定要求を送信する。各インタフェース２１，２２は、この構成情報設定要求を受信すると、既に所有している構成情報を内部テーブルに展開し、構成情報設定完了を主制御部２３へ返す（ステップ１）。同様に、音声処理部３０も、この構成情報設定要求を受信すると、既に所有している構成情報を内部テーブルに展開し、構成情報設定完了を主制御部２３へ返す（ステップ２）なお、この構成情報は、装置電源がオンになる前に既に、保守端末２４から主制御部２３を介して送られていた情報である。また、音声処理部３０が、内部テーブルに展開する構成情報には、ＶｏＩＰゲートェイ２０自身のＩＰアドレスや、このＶｏＩＰゲートェイ２０と一対一の関係で通信行う相手側のＶｏＩＰゲートェイ４１のＩＰアドレスが含まれている。
【００３２】
主制御部２３は、各インタフェース２１，２３及び音声処理部３０からの構成情報設定完了を受信すると、音声処理部３０に対して、送受信チャンネルのオープンを指示する（ステップ３）。音声処理部３０は、この指示を受信すると、ＯＳ（図示されていない）に、自身のＩＰアドレス及び相手側のＩＰアドレスを渡し、ＯＳに送受信チャンルをオープンさせて、相手側のＶｏＩＰゲートェイ４１との間のパスを生成させる（ステップ４）。続いて、音声処理部３０は、送受信チャネルがオープンしたか否かの判定を行う（ステップ５）。これは、音声処理部３０がＯＳに対してオープン確認処理を行うことで判定される。送受信チャネルがオープンされない場合には、ステップ４，５が繰り返され、送受信チャネルがオープンされれば、相手側のＶｏＩＰゲートェイ４１との間でＲＴＰパケットの送受信が可能になる（ステップ６）。
【００３３】
なお、相手側のＶｏＩＰゲートェイ４１も、装置電源がオンになると、以上と同様の処理が実行される。
【００３４】
次に、図４に示すフローチャートに従って、ＶｏＩＰゲートェイ２０の送信処理について説明する。
【００３５】
図３を用いて前述したように、ＶｏＩＰゲートェイ２０の送受信チャネルがオープンされると、音声処理部３０のパケット化部３５は、予め定められたパケット送出間隔時間の満了カウンタを更新する（ステップ２０）。次に、音声処理部３０の信号抽出部３１は、ＯＤインタフェース２１からＳＳ／ＳＲ信号状態を読み込む（ステップ２１）。このＳＳ／ＳＲ信号状態の読み込みでは、図６に示すように、ＳＳ／ＳＲ信号線のオン／オフ状態をＯＤインタフェース２１が４ｍｓ周期でスキャンし、このスキャンされた情報を信号抽出部３１がさらに１０ｍｓ周期でスキャンする。信号抽出部３１が１０ｍｓ周期でスキャンする理由は、このパケット化部３５によるパケットの生成及びパケット分解部３６によるパケット分解がそれぞれ１０ｍｓで、この生成及び分解のタイミングに合わせるためである。信号抽出部３１は、続いて、読み込んだＳＳ／ＳＲ信号をビット情報に変換して、パケットタイミング待ちバッファ３２のＳＳ信号格納領域３３に一時的に格納する（ステップ２２）。
【００３６】
信号抽出部３１は、ＳＳ信号の読込み及び格納と平衡して、ＯＤインタフェース２１に入力した音声信号を読み込み（ステップ２３）、これをパケットタイミング待ちバッファ３２の音声信号格納領域３４に一次的に格納する（ステップ２４）。
【００３７】
パケット化部３５は、パケット送出間隔時間が満了したか否かを確認し（ステップ２５）、この時間を満了していなければ、ステップ２０に戻りカウンタを更新して、信号抽出部３１にステップ２１〜２４の処理を実行させる。また、パケット送出間隔時間が満了した場合、パケット化部３５は、パケットタイミング待ちバッファ３２の音声信号格納領域３４に格納されている音声信号を用いて、ＲＴＰパケットを生成し（ステップ２６）、パケット化タイミング待ちバッファ３２のＳＳ信号格納領域３３に格納されているＳＳ信号をＲＴＰパケットのヘッダ部に設定する（ステップ２７）。
【００３８】
ところで、ＶｏＩＰゲートウェイ２０からＩＰ網１へ送出されるデータは、図６に示すように、ＭＡＣ（Ｍｅｄｉａ  Ａｃｃｅｓｓ  Ｃｏｎｔｒｏｌ）ヘッダ６１、ＩＰヘッダ６２、ＵＤＰ（Ｕｓｅｒ  Ｄａｔａｇｒａｍ  Ｐｒｏｔｏｃｏｌ）ヘッダ６３、ＲＴＰヘッダ６６、ＲＴＰペイロード６７を有して構成されるイーサネットフレーム６０である。
【００３９】
ＩＰヘッダ６２には、以上のステップ２６，２７の処理で、ＶｏＩＰゲートウェイ２０のＩＰアドレスと、このＶｏＩＰゲートウェイ２０と通信相手であるＶｏＩＰゲートウェイ４１のＩＰアドレスとが設定される。また、ＲＴＰパケット６５は、ＲＴＰヘッダ６６とＲＴＰペイロード６７とで構成され、ＲＴＰヘッダ６６の一部にＳＳ信号が設定され、ＲＴＰペイロード６７に音声信号が設定される。
【００４０】
ＲＴＰパケット６５を含むイーサーネットフレーム６０が生成されると（ステップ２６，２７）、パケット化部３５は、このイーサーネットフレーム６０をＩＰインタフェース２２に渡して、ＩＰ網１へ送出させ（ステップ２８）、パケット送出間隔時間の満了カウンタをクリアして（ステップ２９）、ステップ２１に戻る。
【００４１】
このイーサネットフレーム６０は、ＩＰ網１を経由して、ＩＰヘッダに設定されている相手先ＩＰアドレスが示すＶｏＩＰゲートウェイ４１に受信される。
【００４２】
次に、図５に示すフローチャートに従って、ＶｏＩＰゲートェイ４１の受信処理について説明する。
【００４３】
図３を用いて前述したように、ＶｏＩＰゲートェイ４１の送受信チャネルがオープンされると、音声処理部３０のパケット分解部３６は、ＩＰインタフェース２２を介して、ＩＰ網１からＲＴＰパケット６５を含むイーサーネットフレーム６０を受信すると（ステップ３０）、これを分解する。この過程で、図７に示すように、ＲＴＰパケット６５のヘッダ６６からＳＳ信号を取り出すと共に、ペイロード６７から音声信号を取り出す（ステップ３１）。パケット分解部３６は、そして、多重化されているこれらの信号を分解し、分解された音声信号と、この音声信号と対を成すＳＳ信号とを相互に関連付けて、ＩＰ網１での揺らぎを吸収するためにジッタ吸収バッファ３７に格納する（ステップ３２）。
【００４４】
信号再生部３８は、ジッタ吸収バッファ３７に、再生すべきデータが格納されているか否かを判断し（ステップ３３）、データが格納されていれば、音声信号を再生すると共に、この再生タイミングと同時にＳＳ信号をＳＲ信号として再生する（ステップ３４，３５）。また、ジッタ吸収バッファ３７に再生すべきデータが格納されていなければ、音声信号及びＳＳ信号をそれぞれ前回と同じ信号に再生する（ステップ３６）。
【００４５】
再生された音声信号及びＳＲ信号は、ＯＤインタフェース２１を介して、４線式ＳＳ／ＳＲ信号線４５の通話線、ＳＲ信号線を経て、無線通信基地局４２に送信される。無線通信基地局４２は、これら音声信号及びＳＲ信号を無線送信する。移動無線通信端末５０は、これら音声信号及びＳＲ信号を受信すると、インタフェース回路５４が音声信号を音声に再生する共に、通信相手が送信モードになったことを認識し、自身が受信モードになる。
【００４６】
以上は、プレストーク通信卓１０から移動無線通信端末５０へ送信する倍であるが、移動無線通信端末５０からプレストーク通信卓１０へ送信する場合も、以上と基本的に同じである。すなわち、この場合、地域通信設備のＶｏＩＰゲートェイ４１は、図４のフローチャートで説明した中央通信設備のＶｏＩＰゲートェイ２０の送信処理と同じ処理を行い、中央通信設備のＶｏＩＰゲートェイ２０は、図５のフローチャートで説明した地域通信設備のＶｏＩＰゲートェイ４１の受信処理と同じ処理を行う。
【００４７】
なお、以上の実施形態では、ＶｏＩＰゲートェイ２０とプレストーク通信卓を４線式ＳＳ／ＳＲ信号ＯＤインタフェースで接続し、制御信号であるＳＳ信号及びＳＲ信号をＳＳ／ＳＲ信号線で送受信しているが、本発明は、これに限定されるものではなく、音声信号及び制御信号を送れる回線であれば如何なるものでもよい。また、以上の実施形態では、音声信号と共に送受信する制御信号が送信モードであることを示す信号であるが、本発明はこれに限定されるものではなく、通信相手の制御に関するものであれば、如何なるものであってもよい。特に、特に制御信号が示す意味が、音声信号の再生タイミングと何らかの関係を有する場合には、以上のように、同一パケット内に音声信号及び制御信号を含めることで、音声の再生に対して、制御信号に基づく制御をタイミングよく行うことができる。
【００４８】
【発明の効果】
本発明によれば、プレストーク通信システムで、ＩＰ網を利用しているので、設備コストを抑えることができる。また、送信側が相手側に送信モードであることを伝える制御信号を、音声信号を同じパケットに含めることで、ＩＰ網上を透過させるようにしたので、送信モードを受信した相手側が受信モードになるタイミングと、音声信号の再生タイミングとがズレることがない上に、ＩＰ網上での周波数帯域を有効利用することができる。
【図面の簡単な説明】
【図１】本発明に係る一実施形態におけるプレストーク無線通信システムの系統図である。
【図２】本発明に係る一実施形態におけるＶｏＩＰゲートウェイの機能ブロック図である。
【図３】本発明に係る一実施形態におけるＶｏＩＰゲートウェイの起動時のシーケンス図である。
【図４】本発明に係る一実施形態におけるＶｏＩＰゲートウェイの送信処理手順を示すフローチャートである。
【図５】本発明に係る一実施形態におけるＶｏＩＰゲートウェイの受信処理手順を示すフローチャートである。
【図６】本発明に係る一実施形態におけるＲＴＰパケットの生成手順を説明するための説明図である。
【図７】本発明に係る一実施形態におけるＲＴＰパケットの分解手順を説明するための説明図である。
【図８】従来のプレストーク無線通信システムの系統図である。
【符号の説明】
１…ＩＰ網、１０…プレストーク通信卓、１３…押しボタン、２０，４１…ＶｏＩＰゲートウェイ、２１…ＯＤインタフェース、２２…ＩＰインタフェース、２３…主制御部、２５，４５…４線式ＳＳ／ＳＲ信号線、３０…音声処理部、３１…信号抽出部、３２…パケット化タイミング待ちバッファ、３５…パケット化部、３６…パケット分解部、３７…ジック吸収バッファ、３８…信号再生部、４２…無線通信基地局、５０…移動無線通信端末、５３…押しボタン。
【図１】
2004222082.tif 000003
【図２】
2004222082.tif 000004
【図３】
2004222082.tif 000005
【図４】
2004222082.tif 000006
【図５】
2004222082.tif 000007
【図６】
2004222082.tif 000008
【図７】
2004222082.tif 000009
【図８】
2004222082.tif 000010